(57)【要約】本発明は、スラット屋根デバイスに関し、グリッドタイプの装着されたスラットの下部連続組（２）を受け取るフレーム（１）と、グリッドタイプの装着されたスラットの上部連続組（４）を受け取るフレーム（１）上に重ね合わされた少なくとも１つのサポート（３）と、を含み、サポート（３）はフレーム（１）上のスラットの長手方向に対して横方向に動くことができて下部連続組のスラット（２）に対する上部連続組のスラット（４）の側方向位置を修正し、スラットは、屋根が開いているときの完全に重なり合っている位置から、屋根が閉じているときの部分的に重なり合っている位置へ移動する。上記デバイスは、サポート（３）をフレーム（１）に対して上昇させるための手段を含み、上部スラット（４）および下部スラットの連続組が屋根表面全体を覆うときでさえ、空気が屋根を通過することを可能にする。
2004506109.tif 000002
【特許請求の範囲】
【請求項１】
スラット屋根デバイスであって、間隔をおいて離れて装着されたスラットの下部連続組（２）を受け取るシャシ（１）と、間隔をおいて離れて装着されスラットの上部連続組（４）を受け取るシャシ（１）上に重ね合わされた少なくとも１つのサポート（３）と、を含み、前記サポート（３）は前記シャシ（１）上の前記スラットの長手方向に横に動くことができ、前記下部連続組のスラット（２）に対する前記上部連続組のスラット（４）の側方向位置を修正し、前記スラットは、屋根が開いているときの完全重なり合いの位置から、屋根が閉じているときの部分的重なり合いの位置へ通過し、
前記サポート（３）を前記シャシ（１）に対して上昇させる手段を含み、前記上部スラット（４）および下部スラットの連続組が前記屋根の全表面に完全に重なり合うときでさえ、前記屋根を通って空気が通過することができるという事実を特徴とするスラット屋根デバイス。
【請求項２】
前記上昇手段は、前記サポート（３）の横方向縁に沿って分布された数個のキャリッジ（５）を含み、各キャリッジ（５）は、前記シャシ（１）に固定された回転表面上を横方向に動くように適合された少なくとも１つのホイール（６）を含み、前記回転表面は、
異なる高さレベルの２つの平らな平行な領域（７ａ、７ｂ）と、
２つの平らな領域（７ａ、７ｂ）の間に接続するランプ（８）であって、前記ランプ（８）のフットまでの前記サポートの横方向運動の振幅が、前記屋根が閉じた位置にあるときには、２つの重なり合ったスラット、すなわち一方は前記下部連続組（２）、他方は前記上部連続組（４）、の重なり合いの幅より狭いか等しいかであるランプ（８）と、
を含むという事実を特徴とする請求項１記載のスラット屋根デバイス。
【請求項３】
前記サポート（３）は、２本の横方向長手方向ビームを含み、その各々に、前記キャリッジ（５）の一部が装着されるという事実を特徴とする請求項２記載のスラット屋根デバイス。
【請求項４】
前記回転表面は、各キャリッジ（５）用に、前記シャシ（１）に装着された平らなウイング（１２）を有するプロファイルから構成され、それに対して、前記ランプ（８）を形成する斜めの部分と、前記平らな領域を形成するために前記平らなウイング（１２）に対して平行な平らな部分と、が設けられた楔（９）が接続されるという事実を特徴とする請求項２または３に記載のスラット屋根デバイス。
【請求項５】
スラットの少なくとも一方の連続組（２、４）が三角形断面であり、その基部（１３）は前記スラットの幅を構成するという事実を特徴とする請求項１から４のいずれか１項に記載のスラット屋根デバイス。
【請求項６】
前記スラットの前記基部（１３）は、封止手段（１６）と協働するウイング（１５ａ、１５ｂ）によって、前記スラットの他方の側部を越えて延長するという事実を特徴とする請求項５記載のスラット屋根デバイス。
【請求項７】
前記スラットの下部連続組（２）は三角形断面であり、その基部（１３）は前記スラットの幅を構成し、前記基部（１３）は水を排出するためのチャネルを形成するために前記屋根の内部へ向けて内側へ曲がるという事実を特徴とする請求項５または６に記載のスラット屋根デバイス。
【発明の詳細な説明】
【０００１】
本発明は、スラットを備えた屋根デバイスに関し、間隔をおいて離れて装着されたスラットの下部連続組を受け取るシャシと、間隔をおいて離れて装着されスラットの上部連続組を受け取るシャシから重ね合わされた少なくとも１つのサポートと、を含み、サポートはシャシ上のスラットの長さ方向に横方向に動くことができて下部連続組のスラットに対する上部連続組のスラットの側方向位置を修正し、スラットは、屋根が開いているときの完全重なり合いの１つの位置から、屋根が閉じているときの部分的に重なり合っている位置へ通過する。
【０００２】
このデバイスは、バルコニーまたはテラスをカバーする分野に特に適用されるか、または、ベランダまたは建物の他の種類用の屋根要素を構成する。
【０００３】
現在、フランス特許第ＦＲ−Ａ−２７４７７０７号から、陽光の調節および分配を可能にする屋根デバイスが既知である。
【０００４】
この公報によると、通気付スラット屋根デバイスを得るためのデバイスが提案されている。
【０００５】
そのようなデバイスは、影の領域と光の領域との分配に関して、満足が得られる。しかし、完全な暗さが必要なときには、屋根は完全に閉じられる。屋根を通気するためにスラットの間を空気が通過することはできないことが、これによって理解される。
【０００６】
そのような屋根は、使用の可能性が制限されている。すなわち、ユーザは、屋根を通る通気を維持しながら、太陽または雨から自分自身を完全に保護することができない。
【０００７】
本発明は、その目的のためにこの欠点を克服し、この目的のために、スラットが、既知の技術に対して運動増加の能力を有する屋根デバイスを提案しなければならない。
【０００８】
特に、横方向運動を越えて、スラットは、高さを相殺するのを確実にし且つ隙間の空間を空気が通るのを可能にするように、動くことができる。
【０００９】
他の目的および利点は、下記の詳細から明らかである。
【００１０】
本発明は、スラット屋根デバイスに関し、間隔をおいて離れて装着されたスラットの下部連続組を受け取るシャシと、間隔をおいて離れて装着されスラットの上部連続組を受け取るシャシ上に重ね合わされた少なくとも１つのサポートと、を含み、サポートはシャシ上のスラットの長手方向に横に動くことができて下部連続組のスラットに対する上部連続組のスラットの側方向位置を修正し、スラットは、屋根が開いているときの完全に重なり合っている位置から、屋根が閉じているときの部分的に重なり合う位置へ通過し、これは、サポートをシャシに対して上昇させる手段を含み、スラットの上部連続組および下部連続組が屋根の全表面に完全に重なり合うときでさえ、屋根を通って空気が通過することができるという事実によって特徴づけられる。
【００１１】
このデバイスは、下記に記載される修正を有することができる。すなわち、
−上昇手段は、サポートの横方向縁に沿って分布された数個のキャリッジを含み、各キャリッジは、シャシに固定された回転表面上を横方向に動くように適合された少なくとも１つのホイールを含み、上記回転表面は、
−異なる高さの２つの平らな平行な領域と、
−２つの平らな領域の間の接続ランプであって、ランプのフットへのサポートの横方向運動の振幅が、屋根が閉じた位置にあるときには、２つの重なり合ったスラット、すなわち一方は下部連続組、他方は上部連続組、の重なり合いの幅より狭いか等しいかである接続ランプと、
を含み、
−サポートは、２本の横方向長手方向ビームを含み、その各々に、キャリッジの一部が装着される、
−回転表面は、各キャリッジ用に、シャシに装着された平らなウイングを有するプロファイルから構成され、それに対して、ランプを形成する斜めの部分と、平らな領域を形成するために平らなウイングに対して平行な平らな部分と、が設けられた楔が接続される、
−スラットの少なくとも一方の連続組が三角形断面であり、その基部はスラットの幅を構成する、
−スラットの基部は、封止手段と協働するウイングによって、スラットの他方の等辺側部を越えて、延長する、
−スラットの下部連続組は、三角形断面であり、その基部はスラットの幅を構成し、上記基部は水を排出するためのチャネルを形成するために屋根の内方へ向けて内側へ曲がる。
【００１２】
添付の図面は、実施例を示すために与えられ、限定的ではない。図面は、本発明による１つの実施形態を示し、それによって本発明を容易に理解することが可能である。
【００１３】
図１は、当該の屋根デバイスの実施形態を全体的に示す。
【００１４】
このデバイスは、シャシ１を含み、その上に、図２に示される下部スラットの連続組２を構成する様々なスラットが装着される。シャシ１は、スラットの長手方向に垂直に対応する横方向に移動可能に装着され、少なくとも１つのサポート３が、図２に見られる上部連続組４を構成する複数のスラットを受け取るように適合される。
【００１５】
駆動手段は、手動であってもよく、または、サポート３の１つのために図１の例にしたがって動力１７によって構成されてもよく、シャシ１に対するサポート３の横方向移動を確実にする。
【００１６】
ガイド運動手段が、シャシ１に対するサポート３の運動を確実にする。
【００１７】
特に、上述の公報、フランス特許第Ａ２７４７７０７号に示されるようなサポート構造物が適切であり、本発明に使用することができる。
【００１８】
上部スラットの連続組４の移動のため、下部スラットの連続組２と上部スラットの連続組４との重なり合いの状態を、段階的にまたは連続して、変えることが可能である。影の領域および光の領域は、このようにして、ユーザの意志にしたがって所望のように修正される。
【００１９】
この可能性に加えて、本発明は、太陽および雨からの完全な保護を維持しながら、屋根を通気することができる利点を有する。
【００２０】
このために、このデバイスはシャシ１に対してサポート３を上昇するための手段を含む。こうするために、上部スラットの連続組４は下部スラットの連続組２に対して上げられ、それによってこの２つのそれぞれの高さの間に隙間の空間を作ることができる。
【００２１】
好適な実施形態によると、上昇手段は、上昇運動でサポート３をシャシ１に対して駆動するように、サポート３の横方向縁に沿って分布された数個の、たとえば４個の、キャリッジ５を含む。
【００２２】
こうするために、キャリッジ５は、シャシ１に固定された回転表面上を横方向に動くように適合された少なくとも１つのホイール６を含む。
【００２３】
上昇を行うために、回転表面は、２つの平らな平行な領域を含み、それぞれ、下部レベル領域には７ａ、上部レベル領域には７ｂが付される。これら２つのゾーン７ａ、７ｂの間に、回転表面の一部が接続ランプ８によって構成される。
【００２４】
図３および４に見ることができるように、キャリッジ５のホイール６は、回転表面を下部の平らな領域７ａから上部の平らな領域７ｂへ横切るように適合され、これは、ランプ８によって構成された移行領域を経由する。
【００２５】
この設計が、サポート４の横方向運動に上昇運動を組み合わせているのを見るのは容易である。
【００２６】
太陽および雨からの完全な保護を保存しながら、空気が屋根を通過するのを可能にするために、スラットのサイズおよびそれらの重なり合いにしたがって、サポート３の運動の程度を調整することが重要である。
【００２７】
より正確には、ランプ３のフットに対するサポート３の横方向運動の振幅が、２つの重なり合ったスラットの重なり合いの幅よりも狭いかまたは等しくなる。
【００２８】
運動のサイズおよび振幅をこのように特に選択することによって、図６に示されるように、下部連続組のスラット２と上部連続組のスラット４との相対位置が得られる。
【００２９】
外部に露出される屋根の領域はなく、同時に通気が可能であることが見られる。
【００３０】
好ましくはサポート３は、スラットの端の対向する側に２本の長手方向ビームを含み、ビームは横方向に延在し、各々がキャリッジ５の半分を受け取る。
【００３１】
図３および４に示されるように、ホイール６用の回転表面は、上部レベルの平らな領域７ｂとランプ８とを構成するように適合された楔９を含むことができる。
【００３２】
この楔９は、シャシ１に装着されたウイング１２上に位置決めされる。このようにして、回転表面は、非常に効果的に且つ最小のコストで提供される。
【００３３】
さらに、当接部１１ａ、１１ｂを設けて、キャリッジ５の運動の振幅を制限することが有利である。このために、図４に示されるように、サポートが下部位置にあるときには当接部１１ａがキャリッジの運動を制限することができ、サポート３が上昇された位置にあるときには当接部１１ｂがキャリッジの運動を制限することができる。
【００３４】
図５から７は、下部スラットの連続組２および上部スラットの連続組４の異なる相対位置を示す。
【００３５】
図５は、完全に閉じた位置にある屋根デバイスを部分的に示す。図６は、太陽および天候からの保護を保存しながら、通気が可能にされる中間位置を示す。図７は、上部連続組のスラット４と下部連続組のスラット２との間の実質的な重なり合いの位置を示し、本発明による屋根デバイスを外部へ広く開くことを可能にする。
【００３６】
図５から７に示されるように、スラットの連続組の一方、好ましくは連続組２、４の両方が、三角形断面のスラットを有する。
【００３７】
特に、二等辺三角形断面が好ましく、基部１３がスラットの幅を構成し、等辺側部１４が２つの他の側を構成する。
【００３８】
スラットは封止手段１６を担持することが好ましい。封止手段１６は、一方のスラット上に形成されたハウジングに装着されたジョイントによって構成されることが可能であり、対向する連続組のスラット上の他方の縁によって適合される。
【００３９】
図５から７は、このための可能性も示す。
【００４０】
封止手段１６を担持するために、スラットの基部１３は、スラット１５ａ、１５ｂを含む。
【００４１】
さらに、下部連続組のスラット２の基部１３は、水を排出するためのチャネルを形成するように、屋根の内部に向けて内側へ曲がることが好ましい。
【００４２】
このようにして構成された屋根デバイスは、非常に実用的なやり方で使用可能である。
【００４３】
それは、ユーザがシャシ１に対するサポート３の横方向運動を手動でまたは動力によって（たとえば、電気モータ減速機または油圧システム）作動させることを満足させる。
【００４４】
本発明の好適な実施形態によると、このようにして作られた横方向運動は、キャリッジ５のホイール６が位置決めされる回転表面の特定の設計によって上昇の運動を生じさせる。
【００４５】
シャシ１上をサポート３の横方向運動が進む程度にしたがって、スラットの重なり合う表面が、所望により、且つ、下部スラットの連続組２に対する上部スラットの連続組４の相対位置によって、修正することができる。
【図面の簡単な説明】
【図１】特定の実施形態の屋根デバイスの上部からの全体図である。
【図２】そのようなデバイスの長手方向断面図である。
【図３】上昇手段の特定の実施形態の図である。
【図４】上昇手段の特定の実施形態の図である。
【図５】完全に閉じた構成にある本発明のデバイスの概略図である。
【図６】中間構成にある本発明のデバイスの概略図である。
【図７】開いた構成にある本発明のデバイスの概略図である。
【符号の説明】
１．　シャシ
２．　下部連続組のスラット
３．　サポート
４．　上部連続組のスラット
５．　キャリッジ
６．　ホイール
７ａ，７ｂ．　平らな領域
８．　ランプ
９．　楔
１０．　プロファイル
１１ａ，１１ｂ．　当接部
１２．　ウイング
１３．　基部
１４．　等辺側部
１５ａ，１５ｂ．　ウイング
１６．　封止手段
１７．　動力
【国際公開パンフレット】
2004506109.tif 000003
2004506109.tif 000004
2004506109.tif 000005
2004506109.tif 000006
2004506109.tif 000007
2004506109.tif 000008
2004506109.tif 000009
2004506109.tif 000010
2004506109.tif 000011
2004506109.tif 000012
2004506109.tif 000013
2004506109.tif 000014
2004506109.tif 000015
【国際調査報告】
2004506109.tif 000016
2004506109.tif 000017
2004506109.tif 000018
2004506109.tif 000019
2004506109.tif 000020
2004506109.tif 000021